【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
第１の軌道ループ及び第２の軌道ループを含む二重軌道ループと、
前記二重軌道ループから間隔を空けた単一軌道ループと、
前記二重軌道ループと前記単一軌道ループとの間に延びる交差軌道と、
前記交差軌道上に配置されたプラットフォームであって、前記二重軌道ループの前記第１の軌道ループ及び前記第２の軌道ループと位置合わせされた位置と、前記単一軌道ループの第１の部分及び第２の部分と位置合わせされた位置との間で並進するように構成されたプラットフォームと、
前記プラットフォームに結合された転車台であって、前記転車台上に置かれた第１の乗り物車両を回転させるように、かつ前記プラットフォームの固定部分上の第２の乗り物車両に対して前記第１の乗り物車両の向きを変更するように構成された転車台と、
を含む、システム。
【請求項２】
前記交差軌道に隣接する前記第１の軌道ループ及び前記第２の軌道ループを分離する第１の距離は、該交差軌道に隣接する前記単一軌道ループの前記第１の部分及び前記第２の部分を分離する第２の距離にほぼ等しい、請求項１に記載のシステム。
【請求項３】
前記第１の乗り物車両を前記転車台を介して回転させるように構成されたモータを含む、請求項１に記載のシステム。
【請求項４】
前記プラットフォームは、該プラットフォームが１次位置にある間、前記第１の軌道ループから前記第１の乗り物車両を、前記第２の軌道ループから前記第２の乗り物車両を受けるように構成され、
前記単一軌道ループは、前記プラットフォームが２次位置にある間、該プラットフォームから前記第１の乗り物車両及び前記第２の乗り物車両を受けるように構成される、請求項１に記載のシステム。
【請求項５】
前記プラットフォームは、前記第１の乗り物車両が該プラットフォームに対して第１の方向に向けられている間、該第１の乗り物車両を受けるように構成され、
前記単一軌道ループは、前記第１の乗り物車両が前記プラットフォームに対して第２の方向に向けられている間、該第１の乗り物車両を受けるように構成され、
前記第１の方向は、前記第２の方向と実質的に反対である、請求項４に記載のシステム。
【請求項６】
前記プラットフォームは、第１の軌道セグメント、第２の軌道セグメント、第３の軌道セグメント、及び第４の軌道セグメントを含み、
前記第４の軌道セグメントは、前記プラットフォームの前記転車台に結合される、請求項４に記載のシステム。
【請求項７】
前記プラットフォームが前記１次位置にある間、前記第３の軌道セグメントは、前記第１の軌道ループと実質的に同一直線上にあり、前記第４の軌道セグメントは、前記第２の軌道ループと実質的に同一直線上にある、請求項６に記載のシステム。
【請求項８】
前記プラットフォームが前記２次位置にある間、前記第１の軌道セグメントは、前記第１の軌道ループと実質的に同一直線上にあり、前記第２の軌道セグメントは、前記第２の軌道ループと実質的に同一直線上にあり、前記第３の軌道セグメントは、前記単一軌道ループの前記第１の部分と実質的に同一直線上にあり、前記第４の軌道セグメントは、該単一軌道ループの前記第２の部分と実質的に同一直線上にある、請求項６に記載のシステム。
【請求項９】
前記第１の乗り物車両の場所を検出するように構成された車両検出システムと、
前記プラットフォームの位置を検出するように構成されたプラットフォーム検出システムと、
前記第１の乗り物車両の場所を示す前記車両検出システムから受信されたデータに基づいて、かつ前記プラットフォームの位置を示す前記プラットフォーム検出システムから受信されたデータに基づいて、前記プラットフォームの作動を調整するように構成されたコントローラと、
を含む、請求項１に記載のシステム。
【請求項１０】
定置部分及び回転部分を含む、プラットフォームと、
前記回転部分に結合された軌道セグメントであって、該回転部分は、前記定置部分に対して回転して該軌道セグメントを回転させるように構成される、軌道セグメントと、
前記回転部分に結合され、該回転部分を回転させるように構成された第１のモータと、
レールであって、前記プラットフォームの前記定置部分及び前記回転部分が前記レールに沿って並進するように構成されるように該プラットフォームに結合されたレールと、
前記プラットフォームに結合され、前記レールに沿って該プラットフォームを並進させるように構成された第２のモータと、
を含む、システム。
【請求項１１】
前記軌道セグメントは、第１の軌道セグメントであり、前記システムは、前記定置部分に結合された第２の軌道セグメント、第３の軌道セグメント、及び第４の軌道セグメントを更に含み、
前記回転部分の回転により、前記第１の軌道セグメントは、前記第２の軌道セグメント、前記第３の軌道セグメント及び前記第４の軌道セグメントに対して向きが変化するようになる、請求項１０に記載のシステム。
【請求項１２】
１又は２以上の乗り物車両が前記プラットフォームに入ること及び／又は出ることを検出するように構成された１又は２以上の車両検出システムを含む、請求項１０に記載のシステム。
【請求項１３】
前記レールに沿って前記プラットフォームの場所を検出するように構成されたプラットフォーム検出システムを含む、請求項１０に記載のシステム。
【請求項１４】
前記プラットフォームは、該プラットフォーム上に置かれた車両がメンテナンスに予定されているというコントローラからの信号に基づいて並進するように構成される、請求項１０に記載のシステム。
【請求項１５】
プラットフォームの第１の軌道セグメント上で第１の軌道から第１の乗り物車両を受けるステップであって、該プラットフォームは定置部分及び回転部分を含む、ステップと、
前記プラットフォームの第２の軌道セグメント上で第２の軌道から第２の乗り物車両を受けるステップと、
前記第１の乗り物車両を前記第１の軌道から離れて移動させて前記第１の軌道セグメントを第３の軌道ループの第１の部分と位置合わせし、かつ前記第２の乗り物車両を前記第２の軌道から離れて移動させて前記第２の軌道セグメントを該第３の軌道ループの第２の部分と位置合わせするために、第１のモータを用いてレールに沿って前記プラットフォームの前記定置部分及び前記回転部分を並進させるステップと、
前記第２の乗り物車両を回転させるために、第２のモータを用いて前記プラットフォームの回転部分を回転させるステップと、
前記プラットフォームから前記第３の軌道ループに前記第１の乗り物車両を送るステップと、
前記プラットフォームから前記第３の軌道ループに前記第２の乗り物車両を送るステップと、
を含む、方法。
【請求項１６】
コントローラを介して前記プラットフォームの場所を決定するステップを含む、請求項１５に記載の方法。
【請求項１７】
コントローラを介して、車両検出センサからの第１の信号に基づいて前記プラットフォームが前記第１の乗り物車両又は前記第２の乗り物車両を受けることを決定するステップと、
前記コントローラを介して、前記車両検出センサからの第２の信号に基づいて前記プラットフォームが前記第１の乗り物車両又は前記第２の乗り物車両を送ることを決定するステップと、
を含む、請求項１５に記載の方法。
【請求項１８】
少なくとも前記第１の乗り物車両又は前記第２の乗り物車両に関連したメンテナンス信号に基づいて前記プラットフォームを並進させるステップを含む、請求項１５に記載の方法。
【請求項１９】
前記プラットフォームを並進させるステップ及び該プラットフォームを回転させるステップが同時に行われる、請求項１５に記載の方法。
【手続補正２】
【補正対象書類名】明細書
【補正対象項目名】０００４
【補正方法】変更
【補正の内容】
【０００４】
１つの実施形態によれば、システムは、第１の軌道ループ及び第２の軌道ループを含む二重軌道ループ(dual-track loop)と、二重軌道ループから間隔を空けた単一軌道ループと、二重軌道ループと単一軌道ループとの間に延びる交差軌道(cross-track)と、を含む。本システムはまた、交差軌道上に配置されたプラットフォームを含む。プラットフォームは、二重軌道ループの第１の軌道ループ及び第２の軌道ループと整合された（位置合わせされた）(aligned with)位置と、単一軌道ループの第１の部分及び第２の部分と整合された位置との間で並進する(translate)ように構成される。本システムは、プラットフォームに結合された転車台(turntable)であって、該転車台上に配置された乗り物車両を回転させ、及び、乗り物車両の向き(orientation)をプラットフォームの固定部分に対して変更するように構成された転車台を更に含む。